(57)【要約】【課題】情報収集を同期させて、一部の情報にも、時間の遅れを発生させない道路交通情報やリアルタイム情報のデータブロック送受信装置、方法、及びシステムを提供することにある。【解決手段】本発明は、道路交通情報やリアルタイム情報を符号化しデータブロックにして変調・送信し受信・復調するための道路交通情報のデータブロック送受信システムである。データブロック送信装置は、道路交通情報等を受け、情報源を表すイベント毎に送信の優先を表す優先度を持つイベント情報を作成し、優先度毎に配列された複数のイベントモジュールを生成するためのイベントモジュール生成手段２１と、複数のイベントモジュールの中で優先度が最高のイベントモジュールを受け、データブロックとしてパケット情報を含むパケットを複数作成しパケット列とするためのパケット列作成手段３１と、パケット列の配信が要求されるときに、送出パケットテーブルとして配信するための送出パケットテーブル配信手段４１と、を備える。【選択図】　　　　図１
2004040481.tif 000002
【特許請求の範囲】
【請求項１】
道路交通情報を符号化しデータブロックにして変調・送信するための道路交通情報のデータブロック送信装置であって、
前記道路交通情報を受け、情報源を表すイベント毎に送信の優先を表す優先度を持つイベント情報を作成し、該優先度毎に配列された複数のイベントモジュールを生成するためのイベントモジュール生成手段と、
前記複数のイベントモジュールの中で前記優先度が最高のイベントモジュールを受け、前記データブロックとしてパケット情報を含むパケットを複数作成しパケット列とするためのパケット列作成手段と、
該パケット列の配信が要求されるときに、該パケット列を持つ送出パケットテーブルを配信するための送出パケットテーブル配信手段と、
を備えることを特徴とする道路交通情報の送信装置。
【請求項２】
前記イベントモジュール生成手段は、
前記パケット列に対応するヘッダー及び該ヘッダーに複数連なるモジュールから成る送出用イベントモジュールを生成するための送出用イベントモジュール生成手段と、
割り込みモジュールに対して送出遅延を許容し、前記送出用イベントモジュールを再送モジュールとして生成するための再送モジュール生成手段と、
前記割り込みモジュールとして優先送出モジュールを生成するための優先送出モジュール生成手段と、
前記複数のイベントモジュールのうち、１つのイベントモジュールを受け、前記パケット列のペイロードに対応する所定の形式を準備するための所定形式準備手段と、
前記１つのイベントモジュールに係るイベント情報のうち、送受信処理データを任意に指定するためのヘッダー部、該送受信処理データ以外のイベント情報を所望の長さ領域に格納するためのデータ領域部、及び該イベント情報の誤りを検出するための誤り検出部から成る前記所定の形式に変換するための所定形式変換手段と、
を備えることを特徴とする請求項１に記載の道路交通情報のデータブロック送信装置。
【請求項３】
前記パケット列作成手段は、
前記パケット情報を受け、前記パケット列の中のパケットであると識別するパケット識別子を含む情報をヘッダー情報として前記パケットに設定するためのヘッダー設定手段と、
前記パケットのパケット情報を受け、該パケット情報を前記パケットのペイロードに格納するためのペイロード格納手段と、
を備えることを特徴とする請求項１に記載の道路交通情報のデータブロック送信装置。
【請求項４】
前記送出パケットテーブル配信手段は、
前記送出パケットテーブルから送出優先度のデータを受け、該送出パケットテーブルの送出優先順位を決定するための送出順位決定手段と、
該送出優先順位に該送出パケットテーブルを多重化するための多重化手段と、を備え、
該多重化手段は、
前記送出優先度のデータを持つ識別子で、送出途中に前記送出優先度に対応するイベントモジュールを割り込ませるための割り込み手段
を備えることを特徴とする請求項１に記載の道路交通情報のデータブロック送信装置。
【請求項５】
前記送出パケットテーブル配信手段は、
前記送出パケットテーブルから送出優先度のデータを受け、該送出パケットテーブルの送出優先順位を決定するための送出順位決定手段と、
該送出優先順位に該送出パケットテーブルを多重化するための多重化手段と、を備え、
該多重化手段は、
前記送出優先度のレベル数に対応する複数の識別子を準備するための複数識別子準備手段と、
該複数の識別子のうち、１つの識別子のみで、送出途中に前記送出優先度のレベル数によって対応するイベントモジュールを割り込ませるための割り込み手段と、を備えることを特徴とする請求項１に記載の道路交通情報のデータブロック送信装置。
【請求項６】
前記ヘッダー設定手段は、
イベントの開始を表すペイロード開始インディケータを設定するためのペイロード開始インディケータ設定手段と、
前記識別子を設定するための識別子設定手段と、
前記イベントの終了を表す連続性指標を設定するための連続性指標設定手段と、
を備えることを特徴とする請求項３に記載の道路交通情報のデータブロック送信装置。
【請求項７】
道路交通情報のデータブロックを受信・復調し復号化するための道路交通情報のデータブロック受信装置であって、
該データブロック受信装置は、
前記道路交通情報のデータブロックを受信する位置を表す位置データを入力するための位置データ入力手段と、
前記データブロックをパケットとして復号化するための復号化手段と、
該パケットを受け、前記位置データに対応する道路交通情報を優先度順に提示するための情報提示手段と、
を有し、
前記復号化手段は、
前記データブロックを受信し複数のパケットに分解し、前記位置データに対応するパケットを選択・編集して多重分離化するための多重分離化手段
を備えることを特徴とする道路交通情報のデータブロック受信装置。
【請求項８】
前記情報提示手段は、
前記位置データに対応するイベントモジュールを優先度別に復元するためのイベントモジュール復元手段と、
該イベントモジュールを蓄積するためのイベントモジュール蓄積手段と、
該イベントモジュールを受け、前記位置データに対応する前記道路交通情報を選別するための情報選別手段と、
を備えることを特徴とする請求項７に記載の道路交通情報のデータブロック受信装置。
【請求項９】
前記イベントモジュール復元手段は、
前記イベントモジュールに対応するパケット列のうち、１つのパケットのパケット識別子を照合するためのパケット識別子照合手段と、
該パケット識別子から前記イベントモジュールのイベント番号を読み出し、該イベント番号のアドレスを設定するためのイベントアドレス設定手段と、
を備えることを特徴とする請求項８に記載の道路交通情報のデータブロック受信装置。
【請求項１０】
前記情報選別手段は、
前記位置データに対応する前記道路交通情報のうち、優先モジュールに対応するか否かを識別子の優先度によって判断し該優先モジュールを提示するための優先度別提示手段と、
前記優先モジュールに対応していない場合、前記道路交通情報を選択提示する操作を入力するための操作入力手段と、
を備えることを特徴とする請求項８に記載の道路交通情報のデータブロック受信装置。
【請求項１１】
道路交通情報を符号化しデータブロックにして変調・送信するための道路交通情報のデータブロック送信方法であって、
前記道路交通情報を受け、情報源を表すイベント毎に送信の優先を表す優先度を持つイベント情報を作成し、該優先度毎に配列された複数のイベントモジュールを生成するためのイベントモジュール生成工程と、
前記複数のイベントモジュールの中で前記優先度が最高のイベントモジュールを受け、前記データブロックとしてパケット情報を含むパケットを複数作成しパケット列とするためのパケット列作成工程と、
該パケット列の配信が要求されるときに、該パケット列を持つ送出パケットテーブルを配信するための送出パケットテーブル配信工程と、
を備えることを特徴とする道路交通情報の送信方法。
【請求項１２】
道路交通情報のデータブロックを受信・復調し復号化するための道路交通情報のデータブロック受信方法であって、
該データブロック受信方法は、
前記道路交通情報のデータブロックを受信する位置を表す位置データを入力するための位置データ入力工程と、
前記データブロックをパケットとして復号化するための復号化工程と、
該パケットを受け、前記位置データに対応する道路交通情報を優先度順に提示するための情報提示工程と、
を有し、
前記復号化工程は、
前記データブロックを受信し複数のパケットに分解し、前記位置データに対応するパケットを選択・編集して多重分離化するための多重分離化工程
を備えることを特徴とする道路交通情報のデータブロック受信方法。
【請求項１３】
リアルタイム情報を符号化しデータブロックにして変調・送信するためのリアルタイム情報のデータブロック送信装置であって、
前記リアルタイム情報を受け、情報源を表すイベント毎に送信の優先を表す優先度を持つイベント情報を作成し、該優先度毎に配列された複数のイベントモジュールを生成するためのイベントモジュール生成手段と、
前記複数のイベントモジュールの中で前記優先度が最高のイベントモジュールを受け、前記データブロックとしてパケット情報を含むパケットを複数作成しパケット列とするためのパケット列作成手段と、
該パケット列の配信が要求されるときに、該パケット列を持つ送出パケットテーブルを配信するための送出パケットテーブル配信手段と、
を備えるリアルタイム情報の送信装置、及び
リアルタイム情報のデータブロックを受信・復調し復号化するためのリアルタイム情報のデータブロック受信装置であって、
該データブロック受信装置は、
前記リアルタイム情報のデータブロックを受信する位置を表す位置データを入力するための位置データ入力手段と、
前記データブロックをパケットとして復号化するための復号化手段と、
該パケットを受け、前記位置データに対応するリアルタイム情報を優先度順に提示するための情報提示手段と、
を有し、
前記復号化手段は、
前記データブロックを受信し複数のパケットに分解し、前記位置データに対応するパケットを選択・編集して多重分離化するための多重分離化手段を備えるリアルタイム情報のデータブロック受信装置
から成ることを特徴とするリアルタイム情報のデータブロック送受信システム。
【請求項１４】
前記送出パケットテーブル配信手段は、
前記送出パケットテーブルから送出優先度のデータを受け、該送出パケットテーブルの送出優先順位を決定するための送出順位決定手段と、
該送出優先順位に該送出パケットテーブルを多重化するための多重化手段と、を備え、
前記送出パケットテーブル配信手段の多重化手段は、
前記送出優先度のレベル数に対応する複数の識別子を準備するための複数識別子準備手段と、
該複数の識別子のうち、１つの識別子のみで、送出途中に前記送出優先度のレベル数によって対応するイベントモジュールを割り込ませるための割り込み手段と、を備える一方、
前記情報提示手段は、
前記位置データに対応するイベントモジュールを優先度別に復元するためのイベントモジュール復元手段と、
該イベントモジュールを蓄積するためのイベントモジュール蓄積手段と、
該イベントモジュールを受け、前記位置データに対応する前記リアルタイム情報を選別するための情報選別手段と、
を備えることを特徴とする請求項１３に記載のリアルタイム情報のデータブロック送受信システム。
【請求項１５】
前記イベントモジュール生成手段は、
前記複数のイベントモジュールのうち、１つのイベントモジュールを受け、前記パケット列のペイロードに対応する所定の形式を準備するための所定形式準備手段と、
前記１つのイベントモジュールに係るイベント情報のうち、送受信処理データを任意に指定するためのヘッダー部、該送受信処理データ以外のイベント情報を所望の長さ領域に格納するためのデータ領域部、及び該イベント情報の誤りを検出するための誤り検出部から成る前記所定の形式に変換するための所定形式変換手段と、
を備えることを特徴とする請求項１３に記載のリアルタイム情報のデータブロック送受信システム。
【発明の詳細な説明】
【０００１】
【発明の属する技術分野】
本発明は、情報の送受信に関し、特に、道路交通情報のデータブロック送信装置、そのデータブロック受信装置、そのデータブロック送信方法、そのデータブロック受信方法、及びリアルタイム情報のデータブロック送受信システム
に関するものである。
【０００２】
【従来の技術】
この種の道路交通情報に係るデータブロック送信装置の従来例として、出願人は、道路交通情報のデータブロック符号化方法（特開２００１−１０１５８０号公報）を提案している。
【０００３】
ところで、現在のデジタル放送符号規格の中では、蓄積形データの送出に適するデータカルーセル方式がある。道路交通情報は、一般道、都市内高速道路など、多数の道路管理者によって、生成されており、出願人（ＶＩＣＳセンター）は、道路交通情報を２次メッシュ単位にまとめて送出している。
【０００４】
また、ドライバーに様々な有益な情報に係わるリアルタイム情報では収集の間隔も異なる。日本では、一般道が５分間隔、高速道路が１分間隔である。出願人（ＶＩＣＳセンター）は、リアルタイム情報の伝送サービスを提供する一方、カーナビゲーションシステム等の車載機ではリアルタイム情報の受信処理の際、位置データをキーとしてデータ処理を行っている。
【０００５】
【発明が解決しようとする課題】
しかしながら、これら情報の入力タイミングが必ずしも一致していない。情報収集が同期していないため、一部の情報には、時間の遅れが生じてしまう。
【０００６】
そこで、本発明の課題は、効率よく、情報収集を同期させて、一部の情報にも、時間の遅れを発生させない道路交通情報のデータブロック送信装置、そのデータブロック受信装置、そのデータブロック送信方法、そのデータブロック受信方法、及びリアルタイム情報のデータブロック送受信システムを提供することにある。
【０００７】
【課題を解決するための手段】
請求項１に記載の発明は、道路交通情報を符号化しデータブロックにして変調・送信するための道路交通情報のデータブロック送信装置であって、前記道路交通情報を受け、情報源を表すイベント毎に送信の優先を表す優先度を持つイベント情報を作成し、該優先度毎に配列された複数のイベントモジュールを生成するためのイベントモジュール生成手段と、前記複数のイベントモジュールの中で前記優先度が最高のイベントモジュールを受け、前記データブロックとしてパケット情報を含むパケットを複数作成しパケット列とするためのパケット列作成手段と、該パケット列の配信が要求されるときに、該パケット列を持つ送出パケットテーブルを配信するための送出パケットテーブル配信手段と、を備えることを特徴とする道路交通情報の送信装置である。
【０００８】
請求項１１に記載の発明は、道路交通情報を符号化しデータブロックにして変調・送信するための道路交通情報のデータブロック送信方法であって、前記道路交通情報を受け、情報源を表すイベント毎に送信の優先を表す優先度を持つイベント情報を作成し、該優先度毎に配列された複数のイベントモジュールを生成するためのイベントモジュール生成工程と、前記複数のイベントモジュールの中で前記優先度が最高のイベントモジュールを受け、前記データブロックとしてパケット情報を含むパケットを複数作成しパケット列とするためのパケット列作成工程と、該パケット列の配信が要求されるときに、該パケット列を持つ送出パケットテーブルを配信するための送出パケットテーブル配信工程と、を備えることを特徴とする道路交通情報の送信方法である。
【０００９】
請求項１または請求項１１に記載の発明によれば、優先度毎に配列された複数のイベントモジュールが生成される。イベントモジュールはイベントの情報源に同期して優先度順に配信される。その結果、リアルタイムのブロックデータが、送出パケットテーブルとして優先度順に送信される。
【００１０】
請求項２に記載の発明は、前記イベントモジュール生成手段は、前記パケット列に対応するヘッダー及び該ヘッダーに複数連なるモジュールから成る送出用イベントモジュールを生成するための送出用イベントモジュール生成手段と、割り込みモジュールに対して送出遅延を許容し、前記送出用イベントモジュールを再送モジュールとして生成するための再送モジュール生成手段と、前記割り込みモジュールとして優先送出モジュールを生成するための優先送出モジュール生成手段と、前記複数のイベントモジュールのうち、１つのイベントモジュールを受け、前記パケット列のペイロードに対応する所定の形式を準備するための所定形式準備手段と、前記１つのイベントモジュールに係るイベント情報のうち、送受信処理データを任意に指定するためのヘッダー部、該送受信処理データ以外のイベント情報を所望の長さ領域に格納するためのデータ領域部、及び該イベント情報の誤りを検出するための誤り検出部から成る前記所定の形式に変換するための所定形式変換手段と、を備えることを特徴とする請求項１に記載の道路交通情報のデータブロック送信装置である。
【００１１】
請求項２に記載の発明によれば、送出用イベントモジュール生成手段により、送出用イベントモジュールが生成され、送出用イベントモジュールは、ヘッダー及び複数連なるモジュールから成り、パケット列に対応する。また、再送モジュール生成手段により、送出用イベントモジュールは再送モジュールとして生成され、繰り返し送出として作用する。その結果、割り込みモジュールに対して送出遅延が許容され、優先度が低く設定されている。一方、優先送出モジュール生成手段により、優先送出モジュールは、割り込みモジュールとして作用する結果、優先度が高く設定されている。
【００１２】
また、所定形式準備手段により、１つのイベントモジュールに対して、前記パケット列のペイロードに対応する所定の形式が準備される。
【００１３】
そして、所定形式変換手段により、所定の形式に変換される。その結果、所定の形式は、前記１つのイベントモジュールに係るイベント情報のうち、送受信処理データを任意に指定するためのヘッダー部、該送受信処理データ以外のイベント情報を所望の長さ領域に格納するためのデータ領域部、及び該イベント情報の誤りを検出するための誤り検出部から成る。
【００１４】
請求項３に記載の発明は、前記パケット列作成手段は、前記パケット情報を受け、前記パケット列の中のパケットであると識別するパケット識別子を含む情報をヘッダー情報として前記パケットに設定するためのヘッダー設定手段と、前記パケットのパケット情報を受け、該パケット情報を前記パケットのペイロードに格納するためのペイロード格納手段と、を備えることを特徴とする請求項１に記載の道路交通情報のデータブロック送信装置である。
【００１５】
請求項３に記載の発明によれば、ヘッダー設定手段により、パケット識別子のヘッダー情報がパケット列の中のパケットに付加される。
また、ペイロード格納手段により、パケットのパケット情報は、パケットのペイロードに格納される。
【００１６】
請求項４に記載の発明は、前記送出パケットテーブル配信手段は、前記送出パケットテーブルから送出優先度のデータを受け、該送出パケットテーブルの送出優先順位を決定するための送出順位決定手段と、該送出優先順位に該送出パケットテーブルを多重化するための多重化手段と、を備え、該多重化手段は、前記送出優先度のデータを持つ識別子で、送出途中に前記送出優先度に対応するイベントモジュールを割り込ませるための割り込み手段を備えることを特徴とする請求項１に記載の道路交通情報のデータブロック送信装置である。
請求項４に記載の発明によれば、送出順位決定手段により、優先度順にパケット情報の送出順位が決定される結果、送出パケットテーブルは生成される。多重化手段の割り込み手段により、送出途中に単一の識別子によるイベントモジュールが割り込んで、優先的に多重化される。
【００１７】
請求項５は、前記送出パケットテーブル配信手段は、前記送出パケットテーブルから送出優先度のデータを受け、該送出パケットテーブルの送出優先順位を決定するための送出順位決定手段と、該送出優先順位に該送出パケットテーブルを多重化するための多重化手段と、を備え、該多重化手段は、前記送出優先度のレベル数に対応する複数の識別子を準備するための複数識別子準備手段と、該複数の識別子のうち、１つの識別子のみで、送出途中に前記送出優先度のレベル数によって対応するイベントモジュールを割り込ませるための割り込み手段と、を備えることを特徴とする請求項１に記載の道路交通情報のデータブロック送信装置である。
請求項５に記載の発明によれば、送出順位決定手段により、優先度順にパケット情報の送出順位が決定される結果、送出パケットテーブルは生成される。多重化手段の複数識別子準備手段により、送出優先度のレベル数に対応する複数の識別子が準備される。割り込み手段により、１つの識別子のみでも送出途中に送出優先度のレベル数によって対応するイベントモジュールが割り込んで、送出優先順位に多重化される。
【００１８】
請求項６に記載の発明は、前記ヘッダー設定手段は、イベントの開始を表すペイロード開始インディケータを設定するためのペイロード開始インディケータ設定手段と、前記識別子を設定するための識別子設定手段と、前記イベントの終了を表す連続性指標を設定するための連続性指標設定手段と、を備えることを特徴とする請求項３に記載の道路交通情報のデータブロック送信装置である。
【００１９】
請求項６に記載の発明によれば、ペイロード開始インディケータ、識別子、及びイベントの終了を表す連続性指標が設定される。この結果、パケット情報がペイロードに格納されて配信される。
【００２０】
請求項７に記載の発明は、道路交通情報のデータブロックを受信・復調し復号化するための道路交通情報のデータブロック受信装置であって、該データブロック受信装置は、前記道路交通情報のデータブロックを受信する位置を表す位置データを入力するための位置データ入力手段と、前記データブロックをパケットとして復号化するための復号化手段と、該パケットを受け、前記位置データに対応する道路交通情報を優先度順に提示するための情報提示手段と、を有し、前記復号化手段は、前記データブロックを受信し複数のパケットに分解し、前記位置データに対応するパケットを選択・編集して多重分離化するための多重分離化手段を備えることを特徴とする道路交通情報のデータブロック受信装置である。
【００２１】
請求項１２の発明は、道路交通情報のデータブロックを受信・復調し復号化するための道路交通情報のデータブロック受信方法であって、該データブロック受信方法は、前記道路交通情報のデータブロックを受信する位置を表す位置データを入力するための位置データ入力工程と、前記データブロックをパケットとして復号化するための復号化工程と、該パケットを受け、前記位置データに対応する道路交通情報を優先度順に提示するための情報提示工程と、を有し、前記復号化工程は、前記データブロックを受信し複数のパケットに分解し、前記位置データに対応するパケットを選択・編集して多重分離化するための多重分離化工程を備えることを特徴とする道路交通情報のデータブロック受信方法である。
【００２２】
請求項７または請求項１２に記載の発明によれば、データブロックがパケット列として受信されるときに、受信の位置を表す位置データが入力されると、複数のパケットに分解される。位置データに対応するパケットが、選択・編集されて多重分離化され、情報は、優先度順に提示される。
【００２３】
請求項８に記載の発明は、前記情報提示手段は、前記位置データに対応するイベントモジュールを優先度別に復元するためのイベントモジュール復元手段と、該イベントモジュールを蓄積するためのイベントモジュール蓄積手段と、該イベントモジュールを受け、前記位置データに対応する前記道路交通情報を選別するための情報選別手段と、を備えることを特徴とする請求項７に記載の道路交通情報のデータブロック受信装置である。
【００２４】
請求項８に記載の発明によれば、位置データに対応するイベントモジュールが優先度順に復元され、蓄積される。その結果、位置データに対応する道路交通情報が優先度順に表示される。
【００２５】
請求項９に記載の発明は、前記イベントモジュール復元手段は、前記イベントモジュールに対応するパケット列のうち、１つのパケットのパケット識別子を照合するためのパケット識別子照合手段と、該パケット識別子から前記イベントモジュールのイベント番号を読み出し、該イベント番号のアドレスを設定するためのイベントアドレス設定手段と、を備えることを特徴とする請求項８に記載の道路交通情報のデータブロック受信装置である。
【００２６】
請求項９に記載の発明によれば、イベントモジュール復元手段により、イベントモジュールに対応するパケットのパケット識別子が照合される。イベントアドレス設定手段により、イベントモジュールのイベント番号が読み出され、イベント番号のアドレスが設定される結果、対応するパケットとイベントモジュールとが復元される。
【００２７】
請求項１０の発明は、前記情報選別手段は、前記位置データに対応する前記道路交通情報のうち、優先モジュールに対応するか否かを識別子の優先度によって判断し該優先モジュールを提示するための優先度別提示手段と、前記優先モジュールに対応していない場合、前記道路交通情報を選択提示する操作を入力するための操作入力手段と、を備えることを特徴とする請求項８に記載の道路交通情報のデータブロック受信装置である。
【００２８】
請求項１０の発明によれば、優先度別提示手段により、優先モジュールに対応していれば、位置データに対応する道路交通情報は、即座に提示される。また、優先モジュールに対応していない場合、操作入力手段により、操作入力すれば、道路交通情報が選択提示される。
【００２９】
請求項１３の発明は、リアルタイム情報を符号化しデータブロックにして変調・送信するためのリアルタイム情報のデータブロック送信装置であって、前記リアルタイム情報を受け、情報源を表すイベント毎に送信の優先を表す優先度を持つイベント情報を作成し、該優先度毎に配列された複数のイベントモジュールを生成するためのイベントモジュール生成手段と、前記複数のイベントモジュールの中で前記優先度が最高のイベントモジュールを受け、前記データブロックとしてパケット情報を含むパケットを複数作成しパケット列とするためのパケット列作成手段と、該パケット列の配信が要求されるときに、該パケット列を持つ送出パケットテーブルを配信するための送出パケットテーブル配信手段と、を備えるリアルタイム情報の送信装置、及びリアルタイム情報のデータブロックを受信・復調し復号化するためのリアルタイム情報のデータブロック受信装置であって、該データブロック受信装置は、前記リアルタイム情報のデータブロックを受信する位置を表す位置データを入力するための位置データ入力手段と、前記データブロックをパケットとして復号化するための復号化手段と、該パケットを受け、前記位置データに対応するリアルタイム情報を優先度順に提示するための情報提示手段と、を有し、前記復号化手段は、前記データブロックを受信し複数のパケットに分解し、前記位置データに対応するパケットを選択・編集して多重分離化するための多重分離化手段を備えるリアルタイム情報のデータブロック受信装置から成ることを特徴とするリアルタイム情報のデータブロック送受信システムである。
【００３０】
請求項１３に記載の発明によれば、送信装置ではリアルタイム情報は情報源別にイベントモジュールとして生成される。その結果、優先度に従ってパケット列に多重化されて送出される。
【００３１】
受信装置ではパケット列が受信され複数のパケットに分解されイベントモジュールは復元される。位置データが入力され位置データに対応するパケットが選択・編集され優先度順に提示される。
【００３２】
請求項１４に記載の発明は、前記送出パケットテーブル配信手段は、前記送出パケットテーブルから送出優先度のデータを受け、該送出パケットテーブルの送出優先順位を決定するための送出順位決定手段と、該送出優先順位に該送出パケットテーブルを多重化するための多重化手段と、を備え、前記送出パケットテーブル配信手段の多重化手段は、前記送出優先度のレベル数に対応する複数の識別子を準備するための複数識別子準備手段と、該複数の識別子のうち、１つの識別子のみで、送出途中に前記送出優先度のレベル数によって対応するイベントモジュールを割り込ませるための割り込み手段と、を備える一方、前記情報提示手段は、前記位置データに対応するイベントモジュールを優先度別に復元するためのイベントモジュール復元手段と、該イベントモジュールを蓄積するためのイベントモジュール蓄積手段と、該イベントモジュールを受け、前記位置データに対応する前記リアルタイム情報を選別するための情報選別手段と、を備えることを特徴とする請求項１３に記載のリアルタイム情報のデータブロック送受信システムである。
【００３３】
請求項１４に記載の発明によれば、送信装置では、送出パケットテーブル配信手段の多重化手段の複数識別子準備手段により、送出優先度のレベル数に対応する複数の識別子が準備される。割り込み手段により、１つの識別子のみでも、送出途中に送出優先度のレベル数によって対応するイベントモジュールが割り込まれて、送出される。一方、受信装置では、情報提示手段のイベントモジュール復元手段により、位置データに対応するイベントモジュールが復元される結果、優先度別に提示される。
【００３４】
請求項１５の発明は、前記イベントモジュール生成手段は、前記複数のイベントモジュールのうち、１つのイベントモジュールを受け、前記パケット列のペイロードに対応する所定の形式を準備するための所定形式準備手段と、前記１つのイベントモジュールに係るイベント情報のうち、送受信処理データを任意に指定するためのヘッダー部、該送受信処理データ以外のイベント情報を所望の長さ領域に格納するためのデータ領域部、及び該イベント情報の誤りを検出するための誤り検出部から成る前記所定の形式に変換するための所定形式変換手段と、を備えることを特徴とする請求項１３に記載のリアルタイム情報のデータブロック送受信システムである。
【００３５】
請求項１５に記載の発明によれば、所定形式変換手段により、イベントモジュールは、パケット列のペイロードに対応する所定の形式に変換される。所定の形式は、ヘッダー部データ領域部、及び誤り検出部で構成されるので、所定の形式のヘッダー部により、イベント情報のうち、送受信処理データが任意に指定される。所定の形式のデータ領域部により、送受信処理データ以外のイベント情報が所望の長さ領域に格納される。所定の形式の誤り検出部により、イベント情報の誤りが検出される。リアルタイム情報は、様々なデータに適用される結果、汎用性に優れたリアルタイム情報のデータブロック送受信システムが得られる。
【００３６】
【発明の実施の形態】
以下、図面を参照して、本発明に係る道路交通情報のデータブロック送信装置、そのデータブロック受信装置、そのデータブロック送信方法、そのデータブロック受信方法、及びリアルタイム情報のデータブロック送受信システムの詳細について説明する。
（道路交通情報のデータブロック送信装置）
（リアルタイム情報のデータブロック送受信システムの送信側）
【００３７】
図１は、本発明の実施の形態に係る道路交通情報のデータブロック送信装置のブロック図で、リアルタイム情報のデータブロック送受信システムに係る送信側のブロック図である。
【００３８】
図１の道路交通情報のデータブロック送信装置は、全国の道路近辺に設置されたビーコン等の感知器１１からの道路交通情報をデータブロックにして変調・送信するためのもので、ＶＩＣＳセンター１２に設置され、道路交通情報を入力するための道路交通情報入力手段１３と、道路交通情報を受け符号化するための符号化手段１５と、道路交通情報を受け、情報源を表すイベント毎に送信の優先を表す優先度を持つイベント情報を作成し、該優先度毎に配列された複数のイベントモジュールを生成するためのイベントモジュール生成手段２１と、複数のイベントモジュールの中で前記優先度が最高のイベントモジュールを受け、前記データブロックとしてパケット情報を含むパケットを複数作成しパケット列とするためのパケット列作成手段（パケットテーブル作成手段）３１と、パケット列の配信が要求されるときに、該パケット列を配信するための送出パケットテーブル配信手段４１と、を備える。符号化手段１５は、道路交通情報を圧縮するための圧縮手段１７と、道路交通情報をスクランブルして暗号化するためのスクランブル手段１９と、を備える。パケット列は、パケットテーブルまたはパケット送出バッファに格納される。イベント情報は、イベント番号などのヘッダー部と、モジュール部とで構成され、モジュールは、位置データ、例えば、道路交通情報の２次メッシュ単位を１６ビットとして定義され、その後に、複数のデータユニットが続く。データユニットは、位置データや規制データ、駐車場データ、区間旅行時間データなどである。情報源別にイベントを構成しているが、情報種別でも良い。
情報の優先度は、ヘッダー部の優先度で表す。初送、再送の区別は、再送フラッグで示す。
【００３９】
図２は、図１の送出パケットテーブル配信手段４１に係る情報源Ｓ１〜Ｓｎに係るパケット列の送信タイミングを示す図である。図３は、図２のパケット列に係るイベント情報単位でのデータブロックの初送、再送の伝送状況を示す図である。
【００４０】
図２を参照して、情報源Ｓ１〜Ｓｎは、１分又は５分の周期で繰り返す情報である。この繰り返し情報は、１分周期データと５分周期データとが混在するとともに、データの更新周期の間にも同じデータを再送している。これにより、受信側での待ち時間を低減できる。例えば、５分周期データの場合には、２．５分後に同じデータを再送している。
【００４１】
本発明では、繰り返し情報は、入力情報源の周期に合わせて送出され、再送の場合は、送出伝送路の空き時間に設定される。これは、再送の情報は、優先度が低いので、送出パケットテーブル配信手段４１の送出順位決定手段４３により、送出伝送路の空き時間に設定される。その結果、時間遅れが最小になる。
【００４２】
再送中に新たな情報が入った場合には、そこに割り込んでその新たな情報が優先的に送出される。緊急情報が入力された場合も同様に優先的な送出処理が行われる。
【００４３】
イベントモジュール生成手段２１は、複数のパケットに対応するようにヘッダー及び複数連なるモジュールから成る送出用イベントモジュールを生成するための送出用イベントモジュール生成手段２３と、割り込みモジュールに対して送出遅延を許容し、前記送出用イベントモジュールを再送モジュールとして生成するための再送モジュール生成手段２５と、前記割り込みモジュールとして優先送出モジュールを生成するための優先送出モジュール生成手段２７と、前記複数のイベントモジュールのうち、１つのイベントモジュールを受け、前記パケット列のペイロードに対応する所定の形式を準備するための所定形式準備手段２８と、前記１つのイベントモジュールに係るイベント情報のうち、送受信処理データを任意に指定するためのヘッダー部、該送受信処理データ以外のイベント情報を所望の長さ領域に格納するためのデータ領域部、及び該イベント情報の誤りを検出するための誤り検出部から成る前記所定の形式に変換するための所定形式変換手段２９と、を備えている。
【００４４】
パケット列作成手段３１（パケットテーブル作成手段）は、パケット情報を受け、複数のパケットから成るパケット列（パケットテーブル）の中のパケットであると識別するパケット識別子を含む情報をヘッダー情報としてパケットに付加するためのヘッダー設定手段３３と、パケットのパケット情報を受け、パケット情報をパケットのペイロードに格納するためのペイロード格納手段３５と、を備える。
【００４５】
送出パケットテーブル配信手段４１は、パケットのパケット情報の優先度を受け、パケットの送出順位を決定するための送出順位決定手段４３と、同一送出順位の複数のパケットを多重化するための多重化手段４５と、を備える。
【００４６】
ヘッダー設定手段３３は、イベントの開始を表すペイロード（ユニット）開始インディケータ設定手段３７−１と、パケット識別子を設定するためのＰＩＤ設定手段３７−２と、イベントの終了を表す連続性指標を設定するための連続性指標設定手段３７−３と、ペイロードに格納するためのペイロード格納手段３５と、を備え、これにより、パケット識別子ＰＩＤが単一の場合、優先度の異なるパケット情報をペイロードに格納して配信する。
【００４７】
多重化手段４５は、送出優先度のレベル数に対応する複数のパケット識別子ＰＩＤを準備するための複数識別子準備手段４６−１と、該複数のパケット識別子ＰＩＤのうち、１つの識別子のみで、送出途中に前記送出優先度のレベル数によって対応するイベントモジュールを割り込ませるための割り込み手段４６−２と、を備える。
【００４８】
図７を参照して、本発明は、デジタル放送に適用され、図示されたＴＳパケットのヘッダー部には、同期バイト、トランスポート誤りインディケータ、トランスポート優先度、ＰＩＤパケット選別、トランスポートスクランブル制御、アダプセーションフィールド制御、連続性指標が設定され、多重化伝送される。情報を構成するイベントは、１８４バイトのペイロードに格納される。１８４バイトに収まらない場合には、複数のパケットが使用されそれぞれのＰＩＤでパケットが識別される。受信装置で受信される同一ＰＩＤを順次集め、ペイロードのデータを繋ぎ合わせれば、前記情報を復元すなわち取り出すことができる。
上述したように、このようなＴＳ構造を利用して優先度の異なる情報が▲１▼複数のＰＩＤを用いる場合▲２▼単一のＰＩＤを用いる場合によって送出される。
【００４９】
図３を参照して、本発明の送信パケットテーブル配信手段４１により、道路交通情報は、情報源単位のイベント情報に対応するように送出されるので、高速道路イベントＥ１は、更新周期１分で、１０秒の送出時間を要すると仮定する。この場合、一般道のイベントは更新周期が５分で、３０秒の送出時間を要する。
【００５０】
図５は、図１のイベントモジュール作成手段２１に係るイベント情報の構成を示す図である。図６（ａ）は、図１のイベントモジュール生成手段２１に係るイベントモジュール、セクション、及びパケット列作成手段３１に係るＴＳパケットとの対応関係を示す図である。（ｂ）は、セクションの詳細を示す図である。図７は、図６（ａ）のＴＳパケットの構成を示す図である。
【００５１】
本発明は、日本のデジタル放送のＩＳＯ／ＩＲＥＣ１３８１８−１「Ｇｅｎｅｒｉｃ　Ｃｏｄｉｎｇ　ｏｆ　Ｍｏｖｉｎｇ　Ｐｉｃｔｕｒｅ　Ａｓｓｏｃｉａｔｅｄ　Ｉｎｆｏｒｍａｔｉｏｎ　Ｐａｒｔ１　Ｓｙｓｔｅｍｓ」の規格によるＴＳパケット構造に適用できる。本発明の道路交通情報またはリアルタイム情報からイベントモジュールを生成しＴＳパケットに変換する場合、ＴＳパケットのペイロードに格納するために、所定の形式すなわちＰＥＳ（Ｐａｃｋｅｔｉｚｅｄ　Ｅｌｅｍｅｎｔａｒｙ　Ｓｔｒｅａｍ）及びセクションのいずれか一方の形式が準備されている。
【００５２】
図８は、図１のパケット列作成手段３１のヘッダー設定手段３３に係る複数のパケット識別子ＰＩＤを含むパケット列（複数のＰＩＤを用いる場合）を示す図である。図９は、図１のパケット列作成手段３１のヘッダー設定手段３３に係る単数のパケット識別子ＰＩＤ（単一のＰＩＤを用いる場合）、ペイロード開始インディケータ、及び連続性指標を含むパケットを示す図である。
【００５３】
図８を参照して、通常のイベントＥ１〜Ｅ１０は、通常より優先度が高いイベントＥ２０〜Ｅ３０に割り込まれる。使用するＰＩＤは、１６進数で表した０Ｘ１４０、０Ｘ１５０、０Ｘ１６０である。０Ｘ１４０のＰＩＤで通常のイベントＥ１を送り、０Ｘ１５０のＰＩＤでＥ２０として割り込む。更に、０Ｘ１６０のＰＩＤでＥ３０として割り込む。０Ｘ１４０、０Ｘ１５０、０Ｘ１６０の順に優先度が高く設定されているので、Ｅ３０が先に終了、Ｅ２０が次に終了、その次にＥ１が終了する。このようにして、パケット列は、送出され、受信装置で受信される。パケット列は、ＰＩＤでパケットが識別され優先度に従ってペイロードから受信データを取り出して繋げればイベントを復元できる。
【００５４】
図９を参照して、１つのＰＩＤの場合、ＴＳパケットのペイロード開始インディケータと連続性指標とにより行う。ペイロード開始インディケータによりイベントの開始がわかる。イベントの終了は連続性指標で“１１１１”を終了と決めておけば良い。ペイロード中のデータは、そのデータ長から最終パケットが識別される。
【００５５】
送出中のイベントの終了前に、ペイロード開始インディケータが“１”になれば、別のイベントであると分かるので、そのイベントに切り換わる。そのイベントが終了したら、前記送出中の元のイベントに戻る。
【００５６】
図１０は、図１のイベントモジュール生成手段２１に係るイベントモジュール作成工程のフローチャートである。
【００５７】
図１０を参照して、再生は、初送イベントモジュールを送出してから次の新しいデータが入るまでの間に同一データが送出される。例えば、５分に１回更新するデータについては、最初に送出してから１分後、２分後、３分後、４分後に、同一データが送出される。再送工程では、初送イベントモジュールの生成（ステップＳ２）で最初に送出されたデータをメモリーに保存し、所定の時間が経過したら、そのメモリーから読み出してから、送出順位決定手段４３へ転送（ステップＳ３）する。そして、その再送データは、再送テーブルに設定（ステップＳ４）され、再送の時間か？（ステップＳ５）で再送するか否かが判定される。再送データは、新しいデータが届くまで一定の間隔で再送され、新しいデータが届くと、その新しいデータに切り替えられる。
【００５８】
図１１は、図１のパケット列作成手段３１に係る送出パケットテーブル作成工程のフローチャートである。図１２は、図１の送出パケットテーブル配信手段４１に係る送出制御工程のフローチャートである。図１３は、図１２の送出制御工程の続きに係るフローチャートである。
【００５９】
図１１を参照して、ステップＳ１０１では、イベントモジュールが新しくできた時に送出要求があるのでその状態をチェックする。要求があるまで繰り返しチェックする。要求がある場合は、ステップＳ１０２において、イベントモジュールからＴＳパケットを生成する。
【００６０】
最初のパケットのヘッダー部には、ぺイロード開始インディケータを”１”にセットする。連続性指標を”０”とする。ＰＩＤは複数使用できる場合は、優先度に応じてＰＩＤを設定する。例えば、優先順位が５レベルあり、ＰＩＤが１４１〜１４５まで使えるとすれば、優先度１に、ＰＩＤ＝１４１を、優先度２にＰＩＤ＝１４２を、以下この順に設定する。ＰＩＤが１つの場合は、例えばＰＩＤ＝１４１固定とする。
【００６１】
他のヘッダー部のデータはデフォルト値を設定する。ペイロードは、イベントモジュールの最初の１８４バイトを設定する。
【００６２】
第二番目のパケットには、ぺイロード開始インディケータを”０”に、連続性指標を”１”とする。その他の項目は開始パケットの値と同一とする。ペイロード部には、開始パケットのつづきで、イベントモジュールの１８５バイト目から１８４バイトがセットされる。以下同様の処理を行うが、連続性指標は１ずつ増加する。１４の次は１５としないで、１に戻す。最終パケットのときのみ１５として、終了ＴＳパケットであることを示す。
【００６３】
以上の手順でイベントモジュールをパケット化し、パケット列を作る。ステップＳ１０３においては、該パケット列の優先順位をチェックする。その結果、パケットテーブルにパケットがない場合には、ステップＳ１０４において、パケットテーブルの最初から該パケット列を設定する。
【００６４】
優先度が、テーブルにあるパケット列と同じか、以下の場合には、ステップＳ１０５において、現在あるパケット列の後に該パケット列を設定する。該パケット列が現在テーブルにあるパケット列の優先度より高い場合には、ステップＳ１０６において、該当する優先レベルのパケット列のところに該パケット列を挿入する。挿入されたところにあるパケット列は、その分繰り下げられる。以上ステップＳ１０４〜１０６の処理の結果は、パケットテーブルに優先度の順にパケット列が作成されている。
【００６５】
図１２は、図１の送信パケットテーブル配信手段４１に係る送出制御のフローチャートである。
【００６６】
パケットを送出するには、ここで制作されたパケットテーブルを読み順次送出する。これらの処理はステップＳ２００〜ステップＳ２０５において行う。
【００６７】
ステップＳ２０１においてはパケットの送出タイミングを待つ。ステップＳ２０２においては１パケットをパケットテーブルから読み出す。この読み出しは、送出のたびごとに行われるが、その間に送出パケットテーブルが書き換えられていることがある。しかし、そのままテーブルに書かれている順番が優先度順になっている。
【００６８】
ステップＳ２０３では、読み出したパケットを送出する。ステップＳ２０４では、送出したパケットをパケットテーブルから消去する。ステップＳ２０５ではパケットテーブルの内容を１パケットずつ繰り上げる。以上の手順によりパケットは送出される。
（道路交通情報のデータブロック受信装置）
【００６９】
図４は、本発明の実施の形態に係る道路交通情報のデータブロック受信装置のブロック図で、リアルタイム情報のデータブロック送受信システムに係る受信側のブロック図である。図４の道路交通情報のデータブロック受信装置は、移動体に搭載され、道路交通情報のデータブロックを受信・復調し復号化するためのものである。このデータブロック受信装置は、道路交通情報のデータブロックを受信する位置を表す位置データを入力するための位置データ入力手段７０と、データブロックをパケットとして復号化するための復号化手段６４と、パケットを受け、位置データに対応する道路交通情報を提示するための情報提示手段７１と、を有する。
【００７０】
復号化手段６４は、データブロックを受信し優先度順に複数のパケットに分解し、前記位置データに対応するパケットを選択・編集して多重分離化するための多重分離化手段６５と、暗号化された情報をデスクランブルして解読するためのデスクランブル６７と、圧縮された情報を解凍するための解凍手段６９と、を備える。
【００７１】
情報提示手段７１は、位置データに対応するイベントモジュールを復元するためのイベントモジュール復元手段７３と、イベントモジュールを蓄積するためのイベントモジュール蓄積手段７５と、イベントモジュールを受け、位置データに対応する道路交通情報を選別するための情報選別手段７７と、を備える。
【００７２】
イベントモジュール復元手段７３は、イベントモジュールに対応するパケット列に係る１つのパケットのパケット識別子ＰＩＤを照合するためのパケット識別子照合手段８３と、パケット識別子ＰＩＤからイベントモジュールのイベント番号を読み出し、イベント番号のアドレスを設定するためのイベントアドレス設定手段８５と、を備える。
【００７３】
情報選別手段７７は、位置データに対応する道路交通情報のうち、優先モジュールに対応するか否かを判断し緊急提示するための優先度別提示手段７９と、優先モジュールに対応していない場合、前記道路交通情報を選択提示する操作を入力するための操作入力手段８１と、を備える。
（道路交通情報のデータブロック送信方法）
【００７４】
次に、本発明の実地の形態に係る道路交通情報のデータブロック送信方法を説明する。図１の手段は工程と読み替えるものとする。
【００７５】
図１のデータブロック送信方法は、道路交通情報を符号化しデータブロックにして変調・送信するためのものであって、道路交通情報を受け、情報源を表すイベント毎に送信の優先を表す優先度を持つイベント情報を作成し、該優先度毎に配列された複数のイベントモジュールを生成するためのイベントモジュール生成工程２１と、複数のイベントモジュールの中で優先度が最高のイベントモジュールを受け、データブロックとしてパケット情報を含むパケットを複数作成するためのパケット列作成工程３１と、パケットの配信が要求されるときに、該パケットを配信するための送出パケットテーブル配信工程４１と、を備える。
【００７６】
（道路交通情報のデータブロック受信方法）
図４を参照して、本発明の実施の形態に係る道路交通情報のデータブロック受信方法を説明する。図４の手段は工程と読み替えるものとする。
【００７７】
図４の道路交通情報のデータブロック受信方法は、道路交通情報のデータブロックを受信・復調し復号化するためのであって、道路交通情報のデータブロックを受信する位置を表す位置データを入力するための位置データ入力工程７０と、データブロックをパケットとして復号化するための復号化工程６４と、パケットを受け、位置データに対応する道路交通情報を提示するための情報提示工程７１と、を有する。
【００７８】
復号化工程６４は、データブロックを受信し優先度順に複数のパケットに分解し、位置データに対応するパケットを選択・編集して多重分離化するため多重分離化工程６５を備える。
【００７９】
図１４は、図４のイベントモジュール復元手段（工程）７３及びイベントモジュール蓄積手段（工程）７５に係るフローチャートである。
【００８０】
イベントモジュール復元手段（工程）７３及びイベントモジュール蓄積手段（工程）７５は、１つのパケットを受信し（図１４のステップＳ１）、そのヘッダー部のＰＩＤを見て受信すべきパケットかを判定する（図１４のステップＳ２）。その結果、受信するものであり、ＴＳパケットの中のペイロード（ユニット）開始インディケータが“１“であれば、イベントが開始する（図１４のステップＳ４、Ｓ５）。そのため、イベントのメモリアドレスが確保される。インディケータが継続（図１４のステップＳ６）であれば、ＴＳパケットの中のペイロードから受信データが、取り出され、既存のイベントモジュールに追加されて保存される（図１４のステップＳ７）。
【００８１】
モジュールが完了かどうか（図１４のステップＳ８）は、受信データのデータ長で判断され、終了の時は更新フラッグが“１“（図１４のステップＳ９）であれば、受信データは、既に保存されたイベントモジュールと置き換わる（図１４のステップＳ１１）。また、保存中のイベントモジュール（図１４のステップＳ１０）がなくなれば新しく保存される（図１４のステップＳ１２）。その結果、モジュールの受信が完了する（図１４のステップＳ１４）。そして、イベントの受信が完了した場合（図１４のステップＳ１３）は、フラッグをＯＮ（図１４のステップＳ１５）として、表示制御が可能になる。
【００８２】
ＴＳパケットのＰＩＤが複数使用され、同一ＰＩＤに割り込まない構造の場合には、ペイロード（ユニット）開始インディケータが“１“になれば、それ以前のイベントモジュールが終了したこととなる。
【００８３】
本発明は、道路交通情報だけでなく、株式やスポーツ等のリアルタイム情報に適用でき、情報の内容に応じて優先度のレベル設定が行われ、一定の伝送帯域中で、送受信される結果、有効なサービスが実現される。
【００８４】
図１５は、図４の情報提示手段（工程）７１に係るフローチャートである。情報提示工程７１は、情報選別手段７７の優先度別提示手段７９により、優先度のレベルを選別して緊急の渋滞、事象・規制等の図形や文字から成る情報を、自車位置データを含む周辺地図を描写した画面上に重畳・提示して表示する工程（図１５のステップＳ５）と、ユーザーの操作入力手段８１による所望の情報を選択する操作入力が有るか否かの工程（図１５のステップＳ７）を備えている。図１５のステップＳ２は、操作入力手段８１により情報の優先度のユーザー設定もできる結果、自動的に優先度の高い所望の情報が表示される。
【００８５】
また、情報の優先度のレベルに応じた表示の要求が設定され（図１５のステップＳ８）、要求レベル以上であれば情報を自動的に表示する（図１５のステップＳ９、ステップＳ５）。現在表示中のものは、情報が更新された場合には、自動的に表示も更新される。再送データは既存データとして捨てられる（図１５のステップＳ３　Ｙｅｓ）。再送データが既存データにない場合、初送データとして扱う（図１５のステップＳ３　Ｎｏ）。
【００８６】
初送データは、自車の位置データからの要求（図１５のステップＳ６、Ｓ１０、Ｓ１１、Ｓ１２）か、ユーザーの操作入力による要求から表示される（図１５のステップＳ９、Ｓ５）。ＰＩＤが１個で優先度によるイベントの割り込み送出されている場合の受信は、図１４のステップＳ５で、現イベントの格納アドレスを保存し、ステップＳ１５の処理後にこのアドレスを復帰させる。
【００８７】
以上のように、道路交通情報やリアルタイム情報は、更新、再送、緊急割り込み受信されて、自車のユーザーに係る受信装置のカーナビゲーションシステムに係るＧＰＳ等の表示手段（図示せず）に効果的に表示される。
【００８８】
図１６は、図７のＴＳパケットのペイロードにデータを格納するための所定の形式の変形例で、その構成を示す図である。このデータ構成は、前記のＰＥＳまたはセクションの形式にとらわれず、この形式でＴＳパケットのペイロードに格納することが可能である。
【００８９】
この所定の形式の変形例は、識別子、パケット数、ヘッダ長、及びヘッダーデータから成るヘッダー部と、データを収納するデータ部と、及び誤り検出のＣＲＣ（Ｃｙｃｌｉｃ　Ｒｅｄｕｃｄａｎｃｙ　Ｃｈｅｃｋ）またはＳＵＭ（Ｓｕｍ　Ｃｈｅｃｋ）のチェック部とから成る。この構成で、ヘッダー部の内容すなわちヘッダーデータをサービスにより自由に設定できるので、汎用性を向上させる場合に適している。なお、パケット数は、全データ長バイト数に置き換えても良い。バイト数の最大が４０９５であれば、１２ビットが必要である。最大値によってバイト数が決まる。
【００９０】
複数のモジュールは、ヘッダー部及びデータ部に格納される。すなわち、モジュールのデータ長、モジュール長、番号などは、ヘッダー部及びデータ部のいずれかに選択され格納される。
【００９１】
ヘッダー長は２８すなわち０〜２５５バイトの指定が可能である。ヘッダー長が０バイトのときは、２５６バイト以上のヘッダーデータ、すなわちヘッダーデータ２５５バイトの後に再びヘッダー長が指定される。
【００９２】
以上、本発明は、前記実施形態に限定されることなく、様々な形態で実施される。例えば、位置データ入力手段７０は、移動体に搭載されたＧＰＳカーナビゲーションシステムの自車位置検出手段から自車の位置データを自動的に入力するようにしても良い。この場合、本発明の情報提示手段７１は、ＧＰＳカーナビゲーションシステムの表示手段として適用できる。
【００９３】
【発明の効果】
請求項１または請求項１１に記載の発明によれば、優先度毎に配列された複数のイベントモジュールが生成され、イベントの情報源に同期し、優先度順に配信される結果、リアルタイムのブロックデータが、優先度順にパケットとして送信される。そのため、効率よく、情報収集を同期させて、一部の情報にも、時間の遅れを発生させない道路交通情報のデータブロック送信装置、そのデータブロック受信装置、そのデータブロック送信方法、そのデータブロック受信方法、及びリアルタイム情報のデータブロック送受信システムを提供できる。
【００９４】
請求項２に記載の発明によれば、送出用イベントモジュール生成手段により、送出用イベントモジュールが生成される結果、複数連なるモジュールは、複数のパケットから成る送出用イベントモジュールが送出される。
【００９５】
請求項３に記載の発明によれば、ヘッダー設定手段により、パケット識別子のヘッダー情報がパケットに付加される一方、ペイロード格納手段により、パケットのパケット情報は、パケットのペイロードに格納される。
【００９６】
請求項４に記載の発明によれば、送出順位決定手段により、優先度順にパケット情報の送出順位が決定される結果、送出パケットテーブルは生成される。多重化手段の割り込み手段により、送出途中で単一の識別子によるイベントモジュールが割り込んで優先的に多重化される。
請求項５に記載の発明によれば、送出順位決定手段により、優先度順にパケット情報の送出順位が決定され、多重化手段の複数識別子準備手段と割り込み手段とにより、送出途中で複数の識別子によるイベントモジュールが割り込んで優先的に多重化される。
【００９７】
請求項６に記載の発明によれば、ペイロード開始インディケータ、識別子、及びイベントの終了を表す連続性指標が設定される。この結果、パケット情報がペイロードに格納されて配信される。
【００９８】
請求項７または請求項１２に記載の発明によれば、データブロックが受信されるときに、受信の位置を表す位置データが入力されると、複数のパケットに分解される結果、位置データに対応するパケットが、選択・編集されて多重分離化され優先度順に提示される。
【００９９】
請求項８に記載の発明によれば、位置データに対応するイベントモジュールが優先度順に復元され、蓄積される結果、位置データに対応する道路交通情報が優先度順に提示される。
【０１００】
請求項９に記載の発明によれば、イベントモジュール復元手段により、イベントモジュールに対応するパケットのパケット識別子が照合される。イベントアドレス設定手段により、イベントモジュールのイベント番号が読み出され、イベント番号のアドレスが設定される結果、対応するパケットとイベントモジュールとが復元される。
【０１０１】
請求項１０に記載の発明によれば、優先度別提示手段により、優先モジュールに対応していれば、位置データに対応する道路交通情報は、緊急提示される一方、優先モジュールに対応していない場合、操作入力手段により、操作入力すれば、道路交通情報が選択提示される。
【０１０２】
請求項１３の発明によれば、送信装置ではリアルタイム情報は情報源毎にイベントモジュールとして生成される結果、優先度に従ってパケット列に多重化されて送出される。一方、受信装置ではパケット列が受信され複数のパケットに分解されイベントモジュールは復元される結果、位置データが入力され位置データに対応するパケットが選択・編集され優先度順に提示される。
【０１０３】
請求項１４に記載の発明によれば、送信装置では、送出パケットテーブル配信手段の多重化手段の複数識別子準備手段により、送出優先度のレベル数に対応する複数の識別子が準備される。割り込み手段により、１つの識別子のみでも、送出途中に送出優先度のレベル数によって対応するイベントモジュールが割り込まれて、送出される。一方、受信装置では、情報提示手段のイベントモジュール復元手段により、位置データに対応するイベントモジュールが優先度別に復元される。
【０１０４】
請求項１５に記載の発明によれば、所定形式変換手段により、イベントモジュールは、パケット列のペイロードに対応する所定の形式に変換され、所定の形式のヘッダー部により、イベント情報のうち、送受信処理データが任意に指定され、所定の形式のデータ領域部により、送受信処理データ以外のイベント情報が所望の長さ領域に格納され、所定の形式の誤り検出部により、イベント情報の誤りが検出される。従って、リアルタイム情報は、様々なデータに適用される結果、汎用性に優れたリアルタイム情報のデータブロック送受信システムが得られる。
【図面の簡単な説明】
【図１】本発明の実施の形態に係る道路交通情報のデータブロック送信装置のブロック図で、リアルタイム情報のデータブロック送受信システムに係る送信側のブロック図である。
【図２】図１の送出パケットテーブル配信手段４１に係る情報源Ｓ１〜Ｓｎに係るパケット列の送信タイミングを示す図である。
【図３】図２のパケット列に係るイベント情報単位でのデータブロックの初送、再送の伝送状況を示す図である。
【図４】本発明の実施の形態に係る道路交通情報のデータブロック受信装置のブロック図で、リアルタイム情報のデータブロック送受信システムに係る受信側のブロック図である。
【図５】図１のイベントモジュール生成手段２１に係るイベント情報の構成を示す図である。
【図６】（ａ）は、図１のイベントモジュール生成手段２１に係るイベントモジュール、セクション、及びパケット列作成手段３１に係るＴＳパケットとの対応関係を示す図である。（ｂ）は、セクションの詳細を示す図である。
【図７】図６（ａ）のＴＳパケットの構成を示す図である。
【図８】図１のパケット列作成手段３１のヘッダー設定手段３３に係る複数のパケット識別子ＰＩＤを含むパケットを示す図である。
【図９】図１のパケット列作成手段３１のヘッダー設定手段３３に係る単数のパケット識別子、ペイロード開始インディケータ、及び連続性指標を含むパケットを示す図である。
【図１０】図１のイベントモジュール生成手段２１に係るイベントモジュール作成工程のフローチャートである。
【図１１】図１のパケット列作成手段３１に係る送出パケットテーブル作成工程のフローチャートである。
【図１２】図１の送出パケットテーブル配信手段４１に係る送出制御工程のフローチャートである。
【図１３】図１２の送出制御工程の続きに係るフローチャートである。
【図１４】図４のイベントモジュール復元手段７３及びイベントモジュール蓄積手段７５に係るイベントモジュール復元工程及びイベントモジュール蓄積工程のフローチャートである。
【図１５】図４の情報提示手段７１に係る情報提示工程のフローチャートである。
【図１６】図７のＴＳパケットのペイロードに格納するための所定の形式の変形例で、その構成を示す図である。
【符号の説明】
１１　感知器
１２　ＶＩＣＳセンター
１３　道路交通情報入力手段
１５　符号化手段
１７　圧縮手段
１９　スクランブル手段
２１　イベントモジュール生成手段
２３　送出用イベントモジュール生成手段
２５　再送モジュール生成手段
２６　割り込み設定手段
２７　優先モジュール生成手段
３１　パケット列作成手段
３３　ヘッダー設定手段
３５　ペイロード格納手段
３７　インディケータカウンタ割当手段
４１　送出パケットテーブル配信手段
４３　送出順位決定手段
４５　多重化手段
４６−１　複数識別子準備手段
４６−２　割り込み手段
５１　デジタル変調送信手段
６１　移動体受信手段
６３　デジタル信号復調手段
６４　復号化手段
６５　多重分離化手段
６７　デスクランブル手段
６９　解凍手段
７０　位置データ入力手段
７１　情報提示手段
７３　イベントモジュール復元手段
７５　イベントモジュール蓄積手段
７７　情報選別手段
７９　優先度別提示手段
８１　操作入力手段
【図１】
2004040481.tif 000003
【図２】
2004040481.tif 000004
【図３】
2004040481.tif 000005
【図４】
2004040481.tif 000006
【図５】
2004040481.tif 000007
【図６】
2004040481.tif 000008
【図７】
2004040481.tif 000009
【図８】
2004040481.tif 000010
【図９】
2004040481.tif 000011
【図１０】
2004040481.tif 000012
【図１１】
2004040481.tif 000013
【図１２】
2004040481.tif 000014
【図１３】
2004040481.tif 000015
【図１４】
2004040481.tif 000016
【図１５】
2004040481.tif 000017
【図１６】
2004040481.tif 000018